(57)【要約】【課題】モジュールの小型化を可能とするとともに、ユーザーの融着作業の作業性を向上させることができるアダプタ収納モジュールを提供する。【解決手段】光ファイバ心線の接続部材または分岐部材を収納する接続箇所収納部１６と、アダプタ７を収納するアダプタ収納部５と、光ファイバ心線の配線収納部１７とを備えたアダプタ収納モジュールである。モジュール本体１の一側にアダプタ収納部５を設け、モジュール本体１の内部を仕切りプレート１４によって上下に二分し、上側スペースを接続箇所収納部１６とし、下側スペースをプレ配線される光ファイバ心線の配線収納部１７とする。【選択図】図３
2010266725.tif 000002
【特許請求の範囲】
【請求項１】
光ファイバ心線の接続部材または分岐部材を収納する接続箇所収納部と、アダプタを収納するアダプタ収納部と、光ファイバ心線の配線収納部とを備えたアダプタ収納モジュールにおいて、モジュール本体の一側にアダプタ収納部を設けるとともに、モジュール本体の内部を仕切りプレートによって上下に二分し、上側スペースを接続箇所収納部とし、下側スペースを配線収納部としたことを特徴とするアダプタ収納モジュール。
【請求項２】
上側スペースを下側スペースよりも広くしたことを特徴とする請求項１記載のアダプタ収納モジュール。
【請求項３】
アダプタ収納部からモジュール本体の内部に向かって、仕切りプレートが低くなる傾斜部を設けたことを特徴とする請求項１記載のアダプタ収納モジュール。
【請求項４】
接続箇所収納部に、仕切りプレートと平行な方向に弾性変形して光ファイバ心線の接続部材または分岐部材を固定する弾性辺を、複数段形成したことを特徴とする請求項１記載のアダプタ収納モジュール。
【請求項５】
仕切りプレートの上面に、光ファイバ心線を複数のパターンに巻きつける複数の巻きつけ部を設けたことを特徴とする請求項１記載のアダプタ収納モジュール。
【請求項６】
仕切りプレートにより、融着接続点からコネクタまでの配線箇所の上部を覆ったことを特徴とする請求項１記載のアダプタ収納モジュール。
【発明の詳細な説明】
【技術分野】
【０００１】
本発明は、光ファイバを接続する光接続箱の内部に設置されるアダプタ収納モジュールに関するものである。
【背景技術】
【０００２】
光接続箱は、光ファイバの接続や分岐を行うためのボックスであり、その内部には例えば特許文献１に示されるような、モジュールやトレーと呼ばれる扁平な箱状体が多段に積層されている。モジュールの内部には光ファイバ心線の接続部材であるスリーブや、光ファイバ心線の分岐部材であるスプリッターを収納する接続箇所収納部があり、またこれらのスリーブやスプリッターに接続された光ファイバ心線の余長を収納する余長収納部が設けられている。さらに、光ファイバを接続するためのコネクタ、アダプタを各モジュールに収納した構造も知られている。
【０００３】
このようなモジュールを用いて、モジュールの外側から融着接続点までの配線である１次側配線と融着接続点からコネクタまでの配線である２次側配線とを接続・分岐させるが、多くの場合には２次側配線はメーカーあるいは工事店がプレ配線しておき、ユーザーの負担を軽減している。すなわち、外部からの光ファイバを接続するためのアダプタと、このアダプタに接続され、光ファイバ心線の一端が接続されているコネクタとはプレ配線しておくのが普通である。なお本願において「光ファイバ心線」は、「テープ心線」も含むものとする。また、配線状態によっては１次側配線と２次側配線とは入れ替わるものがある。
【０００４】
しかし通常はモジュール内部の同一スペースにモジュールの外側から融着接続点までの配線である１次側配線と融着接続点からコネクタまでの配線である２次側配線とが配置されているため、ユーザーが１次側配線を行う際にプレ配線された光ファイバ心線が損傷されることのないように、十分な被覆を持った例えば２ｍｍ径の光ファイバによるプレ配線を行っている。その結果、モジュールのサイズを十分に小型化することができなかった。また、ユーザーが融着作業を行う際にはプレ配線された光ファイバの被覆を剥ぐ必要があり、作業性が悪いという問題があった。
【先行技術文献】
【特許文献】
【０００５】
【特許文献１】特開２００４−２０７０７号公報
【発明の概要】
【発明が解決しようとする課題】
【０００６】
従って本発明の目的は上記した従来の問題点を解決し、十分な被覆を持った光ファイバによるプレ配線を不要としてモジュールの小型化を可能とするとともに、ユーザーの融着作業の作業性を向上させることができるアダプタ収納モジュールを提供することである。
【課題を解決するための手段】
【０００７】
上記の課題を解決するためになされた本発明は、光ファイバ心線の接続部材または分岐部材を収納する接続箇所収納部と、アダプタを収納するアダプタ収納部と、光ファイバ心線の配線収納部とを備えたアダプタ収納モジュールにおいて、モジュール本体の一側にアダプタ収納部を設けるとともに、モジュール本体の内部を仕切りプレートによって上下に二分し、上側スペースを接続箇所収納部とし、下側スペースを配線収納部としたことを特徴とするものである。
【０００８】
なお、請求項２のように上側スペースを下側スペースよりも広くすることができ、また請求項３のようにアダプタ収納部からモジュール本体の内部に向かって、仕切りプレートが低くなる傾斜部を設けることができ、また請求項４のように接続箇所収納部に、仕切りプレートと平行な方向に弾性変形して光ファイバ心線の接続部材または分岐部材を固定する弾性辺を、複数段形成することができる。さらに、請求項５のように仕切りプレートの上面に、光ファイバ心線を複数のパターンに巻きつける複数の巻きつけ部を設けることができ、請求項６のように、仕切りプレートにより、融着接続点からコネクタまでの配線箇所の上部を覆った構造とすることができる。
【発明の効果】
【０００９】
本発明のアダプタ収納モジュールは、モジュール本体の一側にアダプタ収納部を設け、モジュール本体の内部を仕切りプレートによって上下に二分し、上側スペースを接続箇所収納部とし、下側スペースを配線収納部としたので、アダプタから引き込まれる融着接続点からコネクタまでの配線である２次側配線を仕切りプレートの下側に隠蔽することができる。この結果ユーザーが融着作業やモジュールの外側から融着接続点までの配線である１次側配線を行う際に２次側配線を損傷するおそれがなくなるので、２次側配線を十分な被覆を持った光ファイバから光ファイバ心線に置き換えることができ、モジュールの小型化を図ることができる。しかもユーザーが融着作業を行う際には従来のようにプレ配線された光ファイバの被覆を剥ぐ必要がなくなるから、作業性を向上させることができる。
【００１０】
請求項２のように上側スペースを下側スペースよりも広くすれば、ユーザーによる融着作業や１次側配線を広い側のスペースで行うことができ、作業性が向上する。また請求項３のようにアダプタ収納部からモジュール本体の内部に向かって仕切りプレートが低くなる傾斜部を設けておけば、モジュールを小型化することができるのみならず、傾斜部の下面に２次側配線を無理なく沿わせることができる。また、請求項４のように接続箇所収納部に、仕切りプレートと平行な方向に弾性変形して光ファイバ心線の接続部材または分岐部材を固定する弾性辺を複数段形成しておけば、サイズの異なるスリーブやスプリッターを多段に固定することができる。さらに、請求項５のように仕切りプレートの上面に、光ファイバ心線を複数のパターンに巻きつける複数の巻きつけ部を設けておけば、光ファイバ心線を複数の取り回しパターンで巻くことができ、請求項６のように、仕切りプレートにより、融着接続点からコネクタまでの配線箇所の上部を覆った構造とすれば、ユーザーがモジュールの外側から融着接続点までの配線である１次側配線をする際に融着接続点からコネクタまでの配線である２次側配線箇所が仕切りプレートによって覆われているので、２次側配線を指で直接さわることができず、プレ配線部（２次側配線部）の損傷防止となる。
【図面の簡単な説明】
【００１１】
【図１】本発明の実施形態を示す斜視図である。
【図２】分解斜視図である。
【図３】カバーを外した状態を示す斜視図である。
【図４】長手方向の断面を示す斜視図である。
【図５】長手方向の垂直断面図である。
【図６】カバーを外した状態を示す平面図である。
【図７】光ファイバ心線の巻付け例を示す斜視図である。
【図８】接続箇所収納体の拡大斜視図である。
【図９】接続箇所収納体の拡大平面図である。
【発明を実施するための形態】
【００１２】
以下に本発明の実施形態を説明する。
図１〜図３に示されるように、本発明のアダプタ収納モジュールは浅箱状のモジュール本体１と、その上面を覆うカバー２とを備えている。従来品と同様に、モジュール本体１の両側壁の上下端部には、アダプタ収納モジュールを多段に積層するための係合手段３、４が突設されている。
【００１３】
モジュール本体１の一側には、アダプタ収納部５が設けられている。この実施形態ではアダプタ収納部５は一定ピッチの垂直壁６からなり、アダプタ７を落とし込むようにはめ込んで支持することができる。なお垂直壁６の中央部には縦溝８が形成されており、アダプタ７の突起９を嵌合させることによって、長手方向の力が加えられてもアダプタ７が動かない構造となっている。
【００１４】
アダプタ７の両側にはコネクタ１０、１１が装入されている。外側のコネクタ１０には十分な被覆を持った光ファイバが接続され、内側のコネクタ１１には２次側配線である光ファイバ心線が接続される。前記したように、融着接続点からコネクタまでの配線である２次側配線はメーカー側でプレ配線しておくのが普通である。
【００１５】
モジュール本体１の内部は、仕切りプレート１４によって上下に二分されている。仕切りプレート１４はアダプタ収納部５からモジュール本体１の内部に向かって低くなる傾斜部１５を備えている。図５に示されるように、傾斜部１５の先端は内側のコネクタ１１の上側まで延びている。仕切りプレート１４の上側スペースは接続箇所収納部１６となり、下側スペースは配線収納部１７となる。下側スペースはプレ配線が収納されるスペースであるのに対して、上側スペースはユーザーがモジュールの外側から融着接続点までの配線である１次配線を行うスペースであるから、図５に明示されるように、上側スペースを下側スペースよりも広くしてユーザーの作業性を高めている。
【００１６】
下側スペースである配線収納部１７には、内側のコネクタ１１に接続された光ファイバ心線が収納される。この実施形態では、配線収納部１７に高さの低い円盤状の突起の外周に腕を突設し、その先端部を円弧状の余長巻付面とした余長巻付体１８が設けられている。内側のコネクタ１１に接続された光ファイバ心線はこの余長巻付体１８に巻き付けられる。しかし余長が短い場合には単に光ファイバ心線を通過させるだけでもよい。
【００１７】
仕切りプレート１４にも、余長巻付体１８の直上位置に円盤状の突起１９が形成されている。そして余長巻付体１８の上面から立ち上がる係止柱２０が円盤状の突起１９の係止孔２１に挿入されて位置決めされるとともに、仕切りプレート１４の周縁の係止部がモジュール本体１の壁面の係止部２２に係合して取り付けられている。円盤状の突起１９の奥側には下側スペースから上側スペースに光ファイバ心線を通すための貫通孔２３が適当数形成されており、プレ配線された光ファイバ心線の端部はこれらの貫通孔２３から上側スペースである接続箇所収納部１６に引き出されている。
【００１８】
なお仕切りプレート１４には光ファイバ心線を係止させるための多数の突起２４が配置されており、例えば図７に示すように大周り、中周り、小周りの複数の取りまわしパターンをもって光ファイバ心線を巻きつけることができる構造となっている。この実施形態では円盤状の突起１９の周りを小周り巻きつけ部３２とし、仕切りプレート１４の傾斜部１５の上面にも突起２４を設け中周り巻きつけ部３３とし、仕切りプレート１４のアダプタ７の上方面３５の突起３６を設け大周り巻きつけ部３３としており、仕切りプレート１４の上面の複数の巻きつけ部によって光ファイバ心線を複数の取り回しパターンで巻き付けることができるようにしてある。
【００１９】
仕切りプレート１４の両側端部には、光ファイバ心線の接続部材であるスリーブや、光ファイバ心線の分岐部材であるスプリッターを収納する接続箇所収納体２５が設けられている。この部分の詳細は図８、図９に示されるとおりであり、左右の垂直壁２６、２７の中央部に中間壁２８を突設し、その長手方向の両端に左右の垂直壁２６、２７の方向に近接する弾性辺２９、３０を複数段設けたものである。これらの弾性辺２９、３０は仕切りプレート１４と平行な方向、すなわち水平方向に弾性変形して光ファイバ心線の接続部材であるスリーブまたは分岐部材であるスプリッターを固定するためのものである。
【００２０】
この実施形態では、弾性辺２９、３０は２段に設けられており、同一位置に接続部材または分岐部材を２個固定することができる。これによってモジュール全体のサイズを小型化することができる。なお下側の弾性辺２９は中間壁２８の中心面に対する角度が先端に行くほど大きくなる略Ｙ字形状をしており、上側の弾性辺３０は中間壁２８の中心面に対する角度が先端に行くほど小さくなる略Ｕ字形状をしている。このような形状としておけば、平面視したときの弾性辺２９と弾性辺３０との間の距離をとることができるので、仕切りプレート１４を射出成形する金型からの抜き取りが容易に行える利点がある。
【００２１】
なお、この実施形態では仕切りプレート１４はモジュール本体１のほぼ全面を覆う大きさであるが、ユーザーが１次配線を行う際に、仕切りプレート１４により融着接続点からコネクタまでの配線である２次側配線箇所の上部を覆った構造としており、プレ配線された光ファイバ心線に手が接触しない程度に覆うことができれば、さらに小型化しても差し支えない。
【００２２】
このように構成された本発明のアダプタ収納モジュールは、光ファイバ心線の一端を接続した内側のコネクタ１１をアダプタ７に挿入し、この光ファイバ心線を仕切りプレート１４の下側の配線収納部１７に収納し、この光ファイバ心線の先端を貫通孔２３から上側に引き出すプレ配線を、製造業者あるいは工事業者が行った状態でユーザーに出荷される。そしてユーザーはプレ配線された光ファイバ心線の先端に対して、接続箇所収納部１６において接続部材または分岐部材を用いて接続や分岐などの作業を行い、１次配線はモジュール本体１の左右両側の光ファイバ収納溝３１から外部に引き出される。
【００２３】
プレ配線された光ファイバ心線は仕切りプレート１４の下側の配線収納部１７に収納されているので、ユーザーが１次配線を行う際にプレ配線された光ファイバ心線を損傷するおそれがない。このためプレ配線を細い光ファイバ心線によって行うことができ、従来のような強度のある光ファイバが不要となる。このためモジュールの小型化を図ることができるうえ、ユーザーが融着作業を行う際に従来のようにプレ配線された光ファイバの被覆を剥ぐ必要がなくなるから、作業性を向上させることができる利点がある。
【符号の説明】
【００２４】
１  モジュール本体
２  カバー
３  係合手段
４  係合手段
５  アダプタ収納部
６  垂直壁
７  アダプタ
８  縦溝
９  突起
１０  コネクタ
１１  コネクタ
１４  仕切りプレート
１５  傾斜部
１６  接続箇所収納部
１７  配線収納部
１８  余長巻付体
１９  円盤状の突起
２０  係止柱
２１  係止孔
２２  係止部
２３  貫通孔
２４  突起
２５  接続箇所収納体
２６  垂直壁
２７  垂直壁
２８  中間壁
２９  弾性辺
３０  弾性辺
３１  光ファイバ収納溝
３２  小周り巻きつけ部
３３  中周り巻きつけ部
３４  大周り巻きつけ部
３５  上方面
３６  突起
【図１】
2010266725.tif 000003
【図２】
2010266725.tif 000004
【図３】
2010266725.tif 000005
【図４】
2010266725.tif 000006
【図５】
2010266725.tif 000007
【図６】
2010266725.tif 000008
【図７】
2010266725.tif 000009
【図８】
2010266725.tif 000010
【図９】
2010266725.tif 000011